(57)【特許請求の範囲】
【請求項１】
目標速度とモータの現在速度との差からトルク電流目標値を設定し、このトルク電流目標値と実際のトルク電流とに基づいてモータの各相に供給する駆動信号を制御するモータ駆動装置において、
前記モータを始動して始動用目標速度まで回転上昇させる場合に、前記トルク電流目標値の上限値を設定すると共に、前記モータの実際の現在速度に代えて、時間経過に応じて増加する予め定めた仮想現在速度を、前記現在速度に設定する始動時速度制御を行い、前記仮想現在速度と前記始動用目標速度との差から前記トルク電流目標値を設定することにより前記トルク電流目標値の発散を抑制し、このトルク電流目標値と実際のトルク電流との偏差に基づいて前記モータの各相に供給された電流値に基づきモータ線の欠相を検知する欠相検知処理を行うことを特徴とするモータ駆動装置。
【請求項２】
前記モータの各相に供給される電流値から前記モータの実際の現在速度を推定する推定手段を有し、
前記始動時速度制御を行い、所定期間経過後に、この始動時速度制御から、前記推定手段により推定される現在速度と目標速度との差から前記トルク目標電流値を設定して前記駆動信号を制御する通常速度制御へと移行することを特徴とする請求項１に記載のモータ駆動装置。
【請求項３】
前記始動時速度制御時のゲインは、前記通常速度制御時のゲインと同じ、又は、前記ゲイン近傍の値に設定されていることを特徴とする請求項２に記載のモータ駆動装置。
【請求項４】
前記所定期間は、前記始動時速度制御を開始して前記モータの現在速度が前記始動用目標速度と略一致した後に相当する予め定めた時間に設定されていることを特徴とする請求項２又は３に記載のモータ駆動装置。
【請求項５】
前記モータは、冷媒を圧縮する圧縮機を駆動するモータであり、
モータ始動時における前記圧縮機の出入口の差圧に基づいて前記トルク電流目標値の上限値を設定する上限値設定手段を有することを特徴とする請求項１乃至４のいずれかに記載のモータ駆動装置。
【請求項６】
目標速度とモータの現在速度との差からトルク電流目標値を設定し、このトルク電流目標値と実際のトルク電流とに基づいてモータの各相に供給する駆動信号を制御するモータ駆動装置の制御方法において、
前記モータを始動して始動用目標速度まで回転上昇させる場合に、前記トルク電流目標値の上限値を設定すると共に、前記モータの実際の現在速度に代えて、時間経過に応じて増加する予め定めた仮想現在速度を、前記現在速度に設定する始動時速度制御を行い、前記仮想現在速度と前記始動用目標速度との差からトルク電流目標値を設定することにより前記トルク電流目標値の発散を抑制し、このトルク電流目標値と実際のトルク電流とに基づいて前記モータの各相に供給された電流値に基づきモータ線の欠相を検知する欠相検知処理を行うことを特徴とするモータ駆動装置の制御方法。
【請求項７】
目標速度とモータの現在速度との差からトルク電流目標値を設定し、このトルク電流目標値と実際のトルク電流とに基づいてモータの各相に供給する駆動信号を制御するモータ制御部を有し、このモータにより冷媒圧縮用の圧縮機が駆動される空気調和装置において、
前記モータ制御部は、前記モータを始動して始動用目標速度まで回転上昇させる場合に、前記トルク電流目標値の上限値を設定すると共に、前記モータの実際の現在速度に代えて、時間経過に応じて増加する予め定めた仮想現在速度を、前記現在速度に設定する始動時速度制御を行い、前記仮想現在速度と前記始動用目標速度との差からトルク電流目標値を設定することにより前記トルク電流目標値の発散を抑制し、このトルク電流目標値と実際のトルク電流とに基づいて前記モータの各相に供給された電流値に基づきモータ線の欠相を検知する欠相検知処理を行うことを特徴とする空気調和装置。
【発明の詳細な説明】
【技術分野】
【０００１】
本発明は、モータを駆動するモータ駆動装置、その制御方法及び圧縮機をモータ駆動する空気調和装置に関する。
【背景技術】
【０００２】
従来より、永久磁石型同期モータであるブラシレスＤＣモータの速度制御を、ロータの回転速度検出及び位置検出用のセンサレスで行い、このモータにより圧縮機を駆動する空気調和装置が知られている。この種のセンサレス制御には、三相電源からブラシレスＤＣモータへ供給される三相交流電流の一部をロータの回転座標系に変換してトルク電流Ｉｑとし、この電流からロータの回転速度（回転数）を推定し、この推定値と目標速度との差に基づきトルク電流目標値を設定し、このトルク電流目標値とトルク電流実測値との偏差に基づきモータ速度を目標速度に制御するものがある（例えば特許文献１参照）。
また、この特許文献１記載の空気調和装置は、三相電源によって駆動されるモータの各相を流れる電流値（モータ電流）のばらつき状態を求め、このばらつき状態からモータ線の欠相を検知する欠相検知処理を行っている。
【特許文献１】特開２００５−１８１１６７号公報
【発明の開示】
【発明が解決しようとする課題】
【０００３】
従来のモータ制御では、モータを始動する場合、目標速度と推定速度とがずれているためにトルク電流目標値が発散傾向となり、このトルク電流目標値に基づいて設定されるモータ電流が高くなる場合が生じる。この場合、モータ線が欠相していると、モータ電流がより高くなってしまい、過電流により保護回路等の素子にストレスがかかってしまう。
また、従来の欠相検知処理は、モータの各相を流れる電流値のばらつき状態からモータ線の欠相を検知するため、電流値が安定しないモータ始動時は欠相検知を行っていなかった。
【０００４】
本発明は、上述した事情に鑑みてなされたものであり、モータ始動時における過電流による素子へのストレスを低減すると共に、モータ始動時にモータ線の欠相を検知可能なモータ駆動装置、その制御方法及び空気調和装置を提供することにある。
【課題を解決するための手段】
【０００５】
上述した課題を解決するため、本発明は、目標速度とモータの現在速度との差からトルク電流目標値を設定し、このトルク電流目標値と実際のトルク電流とに基づいてモータの各相に供給する駆動信号を制御するモータ駆動装置において、前記モータを始動して始動用目標速度まで回転上昇させる場合に、前記トルク電流目標値の上限値を設定すると共に、前記モータの実際の現在速度に代えて、時間経過に応じて増加する予め定めた仮想現在速度を、前記現在速度に設定する始動時速度制御を行い、前記仮想現在速度と前記始動用目標速度との差から前記トルク電流目標値を設定することにより前記トルク電流目標値の発散を抑制し、このトルク電流目標値と実際のトルク電流との偏差に基づいて前記モータの各相に供給された電流値に基づきモータ線の欠相を検知する欠相検知処理を行うことを特徴とする。
この発明によれば、過電流による素子へのストレスを低減すると共に、モータ始動時にモータ線の欠相を検知することができる。
【０００６】
上記構成において、前記モータの各相に供給される電流値から前記モータの実際の現在速度を推定する推定手段を有し、前記始動時速度制御を行い、所定期間経過後に、この始動時速度制御から、前記推定手段により推定される現在速度と目標速度との差から前記トルク目標電流値を設定して前記駆動信号を制御する通常速度制御へと移行するようにしてもよい。
【０００７】
また、上記構成において、前記始動時速度制御時のゲインを、前記通常速度制御時のゲインと同じ、又は、前記ゲイン近傍の値に設定することが好ましい。また、前記所定期間は、前記始動時速度制御を開始して前記モータの現在速度が前記始動用目標速度と略一致した後に相当する予め定めた時間が好ましい。
【０００８】
また、上記構成において、前記モータは、冷媒を圧縮する圧縮機を駆動するモータであり、モータ始動時における前記圧縮機の出入口の差圧に基づいて前記トルク電流目標値の上限値を設定する上限値設定手段を有するようにしてもよい。この構成によれば、圧縮機１６の出入口圧力が均圧していない等により負荷が高い状況でもモータを始動させることができる。
【０００９】
また、本発明は、目標速度とモータの現在速度との差からトルク電流目標値を設定し、このトルク電流目標値と実際のトルク電流とに基づいてモータの各相に供給する駆動信号を制御するモータ駆動装置の制御方法において、前記モータを始動して始動用目標速度まで回転上昇させる場合に、前記トルク電流目標値の上限値を設定すると共に、前記モータの実際の現在速度に代えて、時間経過に応じて増加する予め定めた仮想現在速度を、前記現在速度に設定する始動時速度制御を行い、前記仮想現在速度と前記始動用目標速度との差からトルク電流目標値を設定することにより前記トルク電流目標値の発散を抑制し、このトルク電流目標値と実際のトルク電流とに基づいて前記モータの各相に供給された電流値に基づきモータ線の欠相を検知する欠相検知処理を行うことを特徴とする。
【００１０】
また、本発明は、目標速度とモータの現在速度との差からトルク電流目標値を設定し、このトルク電流目標値と実際のトルク電流とに基づいてモータの各相に供給する駆動信号を制御するモータ制御部を有し、このモータにより冷媒圧縮用の圧縮機が駆動される空気調和装置において、前記モータ制御部は、前記モータを始動して始動用目標速度まで回転上昇させる場合に、前記トルク電流目標値の上限値を設定すると共に、前記モータの実際の現在速度に代えて、時間経過に応じて増加する予め定めた仮想現在速度を、前記現在速度に設定する始動時速度制御を行い、前記仮想現在速度と前記始動用目標速度との差からトルク電流目標値を設定することにより前記トルク電流目標値の発散を抑制し、このトルク電流目標値と実際のトルク電流とに基づいて前記モータの各相に供給された電流値に基づきモータ線の欠相を検知する欠相検知処理を行うことを特徴とする。
【発明の効果】
【００１１】
本発明は、モータ始動時における過電流による素子へのストレスを低減すると共に、モータ始動時にモータ線の欠相を検知することができる。
【発明を実施するための最良の形態】
【００１２】
以下、図面を参照して本発明の実施形態を詳述する。
図１は、永久磁石型同期電動機（以下、ブラシレスＤＣモータという。）により駆動される圧縮機を備えた空気調和装置の構成を示す図である。
この空気調和装置１０は、図１に示すように、室外機１１、室内機１２及び制御装置１３を備え、室外機１１の室外冷媒配管１４と室内機１２の室内冷媒配管１５とが連結配管２４、２５を介して連結され、これら室外機１１及び室内機１２が制御装置１３によって運転制御される。
【００１３】
室外機１１は、室外に設置され、室外冷媒配管１４に圧縮機１６が配設され、この圧縮機１６の吸込側には、アキュムレータ１７が接続され、圧縮機１６の吐出側には、四方弁１８と室外熱交換器１９とが順に接続されている。また、室外機１１には、室外熱交換器１９へ向かって送風する室外ファン２０が配設されている。
室内機１２は、室内に設置され、室内冷媒配管１５に室内熱交換器２１と電動膨張弁２２とが配設されると共に、室内熱交換器２１へ送風する室内ファン２３が配設されている。
【００１４】
この空気調和装置１０は、室外機１１の四方弁１８が冷房側あるいは暖房側に切り換えられることにより、冷房運転又は暖房運転に設定される。つまり、四方弁１８が冷房側に切り換えられたときには、冷媒が実線矢印の如く流れ、室外熱交換器１９が凝縮器に、室内熱交換器２１が蒸発器として機能して冷房運転状態となり、室内を冷房する。また、四方弁１８が暖房側に切り換えられたときには、冷媒が破線矢印の如く流れ、室内熱交換器２１が凝縮器に、室外熱交換器１９が蒸発器として機能して暖房運転状態となり、室内を暖房する。
【００１５】
上記圧縮機１６には、図示しない固定子巻線及び永久磁石の回転子（ロータ）を備えたブラシレスＤＣモータ３０が内蔵され、このブラシレスＤＣモータ３０は、モータ駆動部（モータ駆動装置）４０により駆動される。
図２はモータ駆動部４０のブロック図である。同図に示すように、モータ駆動部４０は、ブラシレスＤＣモータ３０の各相に駆動信号を供給する三相ＰＷＭインバータ４１と、制御部５０とを備え、三相ＰＷＭインバータ４１には、交流電源４２からの交流電力が整流回路４３により直流電力に変換されて供給されている。
この三相ＰＷＭインバータ４１は、制御部５０からの三相電圧指令Ｖｕ、Ｖｖ、Ｖｗに従って、整流回路４３から供給される直流電力を所定の周波数と電圧の三相交流電力に変換し、駆動信号としてブラシレスＤＣモータ３０の三相のモータ線へ供給することにより、ブラシレスＤＣモータ３０を回転駆動させる。
【００１６】
制御部５０は、電力入力部（電流検出部）５１、三相／二相座標変換部５２、現在速度・位置推定部５３、速度制御部５４、位相制御部５５、電流制御部５６、二相／三相座標変換部５７、モータ駆動部４０の動作を制御するコントローラ６０とを有している。なお、このコントローラ６０は、空気調和装置１０の動作を制御する制御装置１３で兼ねてもよい。
【００１７】
電流入力部５１は、三相ＰＷＭインバータ４１からブラシレスＤＣモータ３０へ供給される三相交流電流のうち、二相の交流電流値Ｉｕ及びＩｖをＡ／Ｄ変換（analog to digital変換）して取り込む。本実施の形態において添字ｕ、ｖ、ｗは、ブラシレスＤＣモータ３０のｕ相、ｖ相、ｗ相にそれぞれ対応している。
【００１８】
三相／二相座標変換部５２は、電流入力部５１により検出された交流電流Ｉｕ及びＩｖを、ブラシレスＤＣモータ３０におけるロータ上の回転座標系（ｄ−ｑ座標系）に座標変換し、磁束電流Ｉｄ（ｄ軸電流）及びトルク電流Ｉｑ（ｑ軸電流）を算出する。
【００１９】
現在速度・位置推定部５３は、三相／二相座標変換部５２により座標変換された磁束電流Ｉｄ及びトルク電流Ｉｑに基づき、ブラシレスＤＣモータ３０の現在速度ω及び位置を、例えば１００μ秒毎に算出して推定する。
【００２０】
速度制御部５４は、現在速度・位置推定部５３で推定された現在速度ωと目標速度ωｔｇｔとの偏差に基づき、例えば１ｍｓ毎に比例積分制御（ＰＩ制御）を実行して、トルク電流目標値Ｉｑｔｇｔを生成する。なお、ロータの目標速度ωｔｇｔは、コントローラ６０が設定している。
【００２１】
電流制御部５６は、速度制御部５４により生成されたトルク電流目標値Ｉｑｔｇｔと実際のトルク電流Ｉｑとの偏差に基づきＰＩ制御を実行して、トルク電圧Ｖｑ（Ｖｑ軸電圧）を算出すると共に、位相制御部５５により生成された磁束電流目標値Ｉｄｔｇｔと実際の磁束電流Ｉｄとの偏差に基づきＰＩ制御を実行して、磁束電圧Ｖｄ（Ｖｄ軸電圧）を算出する。このＰＩ制御によって、これらの偏差が零になるように制御される。
【００２２】
二相／三相座標変換部５７は、電流制御部５６にて算出された磁束電圧Ｖｄ及びトルク電圧Ｖｑを三相交流の座標系に変換して、パルス変調された正弦波の電圧指令Ｖｕ、Ｖｖ、Ｖｗを算出し、これらの電圧指令Ｖｕ、Ｖｖ、Ｖｗが三相ＰＷＭインバータ４１のスイッチング素子へ出力する。これにより、電圧がパルス幅変調を受けた擬似正弦波となる三相交流電力が、三相ＰＷＭインバータ４１からブラシレスＤＣモータ３０へ供給され、ブラシレスＤＣモータ３０の現在速度ωが目標速度ωｔｇｔとなるように制御される。
【００２３】
コントローラ６０は、ＣＰＵと、ＣＰＵが読み出して実行する制御プログラムや各種データが格納されたＲＯＭと、各種データを一時的に格納するＲＡＭとを備えるコンピュータであり、ＣＰＵがＲＯＭに格納された制御プログラムを実行することによってモータ駆動部４０全体の制御する。また、このコントローラ６０は、モータ線の欠相を検知する欠相検知処理を実行し、すなわち、モータ線の欠相を検知する故障検知手段としても機能している。
【００２４】
以上の構成の下、モータ運転時（モータ始動時を除く）においては、室内機１２の負荷が変動すると、コントローラ６０が、この負荷変動に合わせて目標速度ωｔｇｔを変更し、このコントローラ６０の制御の下、速度制御部５４が、現在速度・位置推定部５３にて推定された現在速度ωと目標速度ωｔｇｔとの偏差に基づきトルク電流目標値Ｉｑｔｇｔを生成すると共に、位相制御部５５が、トルク電流Ｉｑに基づき磁束電流目標値Ｉｄｔｇｔを生成し、電流制御部５６が、トルク電流目標値Ｉｑｔｇｔと実際のトルク電流Ｉｑとの偏差及び磁束電流目標値Ｉｄｔｇｔと実際の磁束電流Ｉｄとの偏差に基づきＰＩ制御を実行して、二相／三相座標変換部５７を介して電圧指令Ｖｕ、Ｖｖ、Ｖｗを三相ＰＷＭインバータ４１に出力する。これにより、室内機１２の負荷に応じてモータ３０の回転速度、つまり、圧縮機１６の回転速度が適切に制御される。以上が通常の速度制御（通常速度制御）である。なお、この速度制御時、コントローラ６０は後段に詳述する欠相検知処理を実行している。
【００２５】
ところで、モータ始動時は、モータ３０の目標速度ωｔｇｔと現在速度ωとのずれによりトルク電流目標値Ｉｑｔｇｔが発散傾向となり、トルク電流目標値Ｉｑｔｇｔに基づいて設定されるモータ電流が高くなる場合が生じ、過電流により図示せぬ保護回路等の素子にストレスがかかってしまうおそれがある。
そこで、本実施形態では、モータ始動時は、コントローラ６０が、速度制御部５４に対してトルク電流目標値Ｉｑｔｇｔの上限値Ｉｑｍａｘを設定し、モータ電流が過度に高くならないようにしている。以下、モータ３０の始動制御について説明する。
【００２６】
モータ３０の始動指示が入力されると、まず、コントローラ６０は、位相制御部５５の磁束電流目標値Ｉｄｔｇｔを零に設定すると共に、速度制御部５４のトルク電流目標値Ｉｑｔｇｔの上限値Ｉｑｍａｘを設定し、さらに、速度制御部５４のＰＩ制御のゲインを通常速度制御時のゲインと同じ、又は、そのゲイン近傍の値に設定する。
また、モータ始動時は、コントローラ６０により、目標速度ωｔｇｔとして予め定められた低速の始動用目標速度ωｔｇｔ１（例えば４Ｈｚ）が設定され、この始動用目標速度ωｔｇｔ１が、この始動用目標速度ωｔｇｔ１とモータ３０の現在速度ωとが少なくとも一致するまで保持される。
ここで、上記上限値Ｉｑｍａｘは、モータ速度を始動用目標速度ωｔｇｔ１に制御するのに十分な値であって、かつ、モータ電流を素子にストレスが係らない値以下に抑える値に設定されている。
【００２７】
また、モータ始動時、速度制御部５４には、コントローラ６０により、所定の制御周期毎に段階的に増加する仮想現在速度ω１が現在速度ωとして設定され、現在速度・位置推定部５３にて推定された現在速度ωは使用しないように構成されている。
【００２８】
従って、上記モータ始動制御（始動時速度制御）により、速度制御部５４は、コントローラ６０が設定した仮想現在速度ω１と始動用目標速度ωｔｇｔ１との偏差に基づきトルク電流目標値Ｉｑｔｇｔを生成し、このとき、トルク電流目標値Ｉｑｔｇｔの上限値Ｉｑｍａｘが設定されているため、トルク電流目標値Ｉｑｔｇｔが上限値Ｉｑｍａｘ以下の値に制限され、トルク電流目標値Ｉｑｔｇｔの発散が抑制される。
このため、電流制御部５６が、トルク電流目標値Ｉｑｔｇｔと実際のトルク電流Ｉｑとの偏差に基づき算出したトルク電圧Ｖｑの上限値も低くなり、結果的に、三相ＰＷＭインバータ４１に出力される電圧指令Ｖｕ、Ｖｖ、Ｖｗにより三相ＰＷＭインバータ４１から各相に供給されるモータ電流の上限値を抑制することができる。これにより、モータ電流が過度に上昇するのを抑えながらモータ３０の回転速度を徐々に増大させて、始動用目標速度ωｔｇｔ１までモータ速度を上昇させることができる。
【００２９】
そして、モータ速度が始動用目標速度ωｔｇｔ１に到達して所定期間が経過すると、コントローラ６０は、上限値Ｉｑｍａｘ及び速度ω１の設定を解消し、速度制御部５４が現在速度・位置推定部５３にて推定された現在速度ωと目標速度ωｔｇｔの偏差に基づいて速度制御を行う通常速度制御に移行させる。なお、この通常速度制御への移行タイミングは、モータ３０の始動時制御の開始タイミングから、モータ３０が正常であることを前提としてモータ速度が始動用目標速度ωｔｇｔ１に到達するのに十分な時間に相当する予め定めた設定時間が経過したタイミングに設定される。
【００３０】
また、本実施形態では、コントローラ６０が、上記モータ始動制御と並行して、欠相検知処理を行っている。この欠相検知処理は、モータ３０の各相を流れる電流値Ｉｕ、Ｉｖ、Ｉｗのばらつき状態によりモータ線の欠相を検知する処理であり、具体的には、コントローラ６０が、電流入力部５１によって検出された三相（ｕ相、ｖ相、ｗ相）の電流値Ｉｕ、Ｉｖ及びＩｗを取得し、電流値Ｉｕ、Ｉｖ、Ｉｗのうち最も大きい電流値をＩａ、最も小さい電流値をＩｂとした場合、Ｘ＝Ｉａ／Ｉｂの算出式により電流比Ｘを求め、この電流比Ｘを予め定めた欠相判別用基準値と比較して、この基準値未満であれば欠相無しと判断し、この基準値以上であれば、モータ線が欠相していると判断し、モータ３０を強制停止させると共にその旨を図示せぬ報知手段により報知する処理である。
本実施形態では、上記したように、トルク電流目標値Ｉｑｔｇｔの上限値Ｉｑｍａｘを設定してトルク電流目標値Ｉｑｔｇｔの発散を抑制するので、上限値Ｉｑｍａｘを設定しない場合に比してモータ電流が比較的安定し、モータ始動時であってもモータ線の欠相を検知することが可能となっている。
【００３１】
以上説明したように、本実施形態によれば、モータ３０を始動する場合に、トルク電流目標値Ｉｑｔｇｔの上限値Ｉｑｍａｘを設定するので、モータ始動時におけるトルク電流目標値Ｉｑｔｇｔの発散を抑制して過電流による素子へのストレスを低減することができると共に、モータ始動時にモータ線の欠相を検知することが可能になる。このように、モータ始動中にモータ線の欠相を検知可能なため、モータ線の欠相を原因とする過電流の発生を回避でき、これによっても素子へのストレスを低減することが可能になる。
【００３２】
以上、本発明の一実施形態について説明したが、本発明はこれに限定されるものではなく、種々の変更実施が可能である。
例えば、上記実施形態では、トルク電流目標値Ｉｑｔｇｔの上限値Ｉｑｍａｘを固定値とする場合を例示したが、この上限値Ｉｑｍａｘを可変させてもよい。例えば、圧縮機１６の出入口の差圧（冷媒回路の高圧部と低圧部の差圧を含む）を検出し、この差圧に応じて上限値Ｉｑｍａｘを増減させてもよい。この場合、圧縮機１６を運転停止直後に再起動する際、つまり、圧縮機１６の出入口圧力が均圧していないために負荷が比較的高い状況でモータ３０を始動する際に、その負荷に応じて上限値Ｉｑｍａｘを高く設定することができ、モータ始動時のトルクを増大させてモータ３０を始動させることが可能になる。なお、この上限値Ｉｑｍａｘを設定する上限値設定手段はコントローラ６０に限らず、制御装置１３であってもよい。
【００３３】
また、上記実施形態では、三相（ｕ相、ｖ相、ｗ相）の電流値Ｉｕ、Ｉｖ及びＩｗを取得してこれら電流値Ｉｕ、Ｉｖ、Ｉｗのばらつき状態からモータ線の欠相を検知する欠相検知処理を例示したが、これに限らず、二相（ｕ相、ｖ相）の電流値Ｉｕ及びＩｖを検出し、この検出結果から残りの一相（ｗ相）の電流値Ｉｗを推定してこれら電流値Ｉｕ、Ｉｖ、Ｉｗのばらつき状態からモータ線の欠相を検知してもよい。この場合、モータ３０の各相に流れる電流値の合計が常に零（Ｉｕ＋Ｉｖ＋Ｉｗ＝０）であることを利用して、検出した二相（ｕ相、ｖ相）の電流値Ｉｕ及びＩｖから、残りの一相（ｗ相）の電流値Ｉｗを推定すればよい。また、上記欠相検知処理に限らず、公知の欠相検知処理を広く適用してもよい。
【図面の簡単な説明】
【００３４】
【図１】本実施形態に係る空気調和装置の構成を示す図である。
【図２】空気調和装置のモータ駆動部のブロック図である。
【符号の説明】
【００３５】
１０  空気調和装置
１１  室外機
１２  室内機
１３  制御装置（上限値設定手段）
１６  圧縮機
３０  ブラシレスＤＣモータ
４０  モータ駆動部（モータ駆動装置）
５１  電力入力部（電流検出部）
５２  三相／二相座標変換部
５３  現在速度・位置推定部
５４  速度制御部
５５  位相制御部
５６  電流制御部
５７  二相／三相座標変換部
６０  コントローラ（欠相検知手段、上限値設定手段）
【図１】
0004804100.tif 000002
【図２】
0004804100.tif 000003